(57)【要約】【課題】換気経路を持ちながら、必要に応じて遮音性や気密性を付与することが可能な扉装置において、換気が可能な設定での換気性能を十分に確保できるとともに、プライバシー保護性能も高い扉装置を提供する。【解決手段】扉装置(A1)は、出入り口に設けられている枠部材(1)と、枠部材(1)に水平方向に開閉回動可能に取り付けられている扉部材(5)と、枠部材(1)のうち扉部材(5)を停止させる側に上下方向に設けられており、扉部材(5)の回動を止めることができる戸当たり部材(2)と、扉部材(5)と枠部材(1)及び戸当たり部材(2)の間に通気空間(a1)を形成する位置に扉部材(5)を停止させる換気位置停止穴(3)と、扉部材(5)と戸当たり部材(2)との間で気密性を保つことができる位置に扉部材(5)を停止させる密閉位置停止穴(4)を備えている。【選択図】図１
2008285898.tif 000002
【特許請求の範囲】
【請求項１】
開口の一方の側に垂直な回転軸を有し、扉を水平方向に回動することによって開口の他方の側に通気空間を形成して停止する第１の停止位置(3)から該通気空間を閉塞して停止する第２の停止位置(4)へ移動するようにした、
扉装置における換気・密閉の切替方法。
【請求項２】
開口の一方の側に垂直な回転軸を有し、扉部材(5)と枠部材(1)との間で通気空間を形成して扉部材(5)を停止する第１の停止位置(3)と、前記扉部材(5)と枠部材(1)との間で形成された通気空間を閉塞した状態で扉部材(5)を停止する第２の停止位置(4)とを有し、第１の停止位置(3)から第２の停止位置(4)への移動は、扉部材(5)を水平方向に回動することによって行うようにした、
扉装置における換気・密閉の切替方法。
【請求項３】
扉部材(5)と、枠部材(1)及び戸当たり部材(2)の間に通気空間(a1)を形成する位置に扉部材(5)を停止させた状態から扉部材(5)を動かし、枠部材(1)のうち扉部材(5)を停止させる側に上下方向に設けられており、扉部材(5)の回動を止めることができる戸当たり部材(2)に直接または間接的に接触させて、戸当たり部材(2)との間で気密性を保つことができる位置に扉部材(5)を停止させる、
扉装置における換気・密閉の切替方法。
【請求項４】
開口の一方の側に垂直な回転軸を有して扉を水平方向に回動できるよう設けてあり、該扉を開口の他方の側に通気空間を形成して停止する第１の停止位置と、該通気空間を閉塞して停止する第２の停止位置と、を有する、
扉装置。
【請求項５】
開口の一方の側に垂直な回転軸を有して扉部材(5)を水平方向に回動できるように設けてあり、扉部材(5)と枠部材(1)との間で通気空間を形成して扉部材(5)を停止する第１の停止位置と、前記扉部材(5)と枠部材(1)との間で形成された通気空間を閉塞した状態で扉部材(5)を停止する第２の停止位置と、を有する、
扉装置。
【請求項６】
出入り口に設けられている枠部材(1)と、
枠部材(1)に水平方向に開閉回動可能に取り付けられている扉部材(5)と、
枠部材(1)のうち扉部材(5)を停止させる側に上下方向に設けられており、扉部材(5)の回動を止めることができる戸当たり部材(2)と、
扉部材(5)と、枠部材(1)及び戸当たり部材(2)の間に通気空間(a1)を形成する位置に扉部材(5)を停止させる換気位置停止手段(3,6)と、
扉部材(5)と戸当たり部材(2)との間で気密性を保つことができる位置に扉部材(5)を停止させる密閉位置停止手段(4,6)と、
を備えている扉装置。
【請求項７】
扉部材(5a)を換気位置から密閉位置へ動かすことができる切替操作手段(7,71)を備えている、
請求項６の扉装置。
【請求項８】
扉のノブまたはハンドルのボルトまたはラッチを係止して扉を停止する係止具(11)であって、
開口の一方の側に垂直な回転軸を有して水平方向に回動できるよう設けてある扉を開口の他方の側に通気空間を形成して停止させる第１の停止部(3)と、該通気空間を閉塞して停止させる第２の停止部(4)を有する、
扉のノブまたはハンドルのボルトまたはラッチの係止具。
【発明の詳細な説明】
【技術分野】
【０００１】
本発明は、扉装置及び扉装置における換気・密閉の切替方法に関するものである。更に詳しくは、換気経路を持ちながら、必要に応じて遮音性や気密性を付与することが可能な扉装置において、換気が可能な設定での換気性能を十分に確保できるとともに、プライバシー保護性能も高い扉装置及び扉装置における換気・密閉の切替方法に関する。
【背景技術】
【０００２】
扉は本来、扉を設けた室の内部の遮蔽を目的とするものであり、扉内外の気密性を重視した扉装置も多く施工されていた。しかし、平成１５年の建築基準改正で、扉の取り付け部分での常時換気が義務化されたことにより、遮音対策をはじめとするプライバシー保護対策が講じる必要が生じてきた。
【０００３】
このようなプライバシー保護対策として、扉の下端に上下動可能な密閉部材を設け、密閉部材を必要に応じて下降させることにより、扉の下端と床面の間の隙間を塞いで、扉内外の気密性を付与して遮音性能を高めた扉装置が提案されている（一例として、特許文献１参照）。
【特許文献１】特開２００６−５７３６４
【発明の開示】
【発明が解決しようとする課題】
【０００４】
しかしながら、前記特許文献１に記載の「２４時間換気用遮音扉」には、次のような課題があった。
すなわち、密閉部材及びそれを操作する関連部品が必要なため、部品の点数が多く、構造も複雑になっていた。このため、故障しやすくコスト高になる課題があった。
また、扉内外の換気（通気）は、扉の幅方向の扉下端と床面の隙間を利用して行い、扉の短辺側を利用する構造のため、隙間の上下幅を考慮すれば、開口面積を大きく取ることは難しいので、十分な換気性能が得にくい。
【０００５】
さらには、換気可能な設定で扉の下に開いている隙間は素通しなので、内部の気配が外部からもよくわかる。つまり、見ようと思えばその隙間から内部を覗くことができるという、プライバシー保護の観点からは望ましくない構造的な問題があった。
【０００６】
そこで本発明の目的は、換気経路を持ちながら、必要に応じて遮音性や気密性を付与することが可能な扉装置において、構造をより簡単にすると共に、換気が可能な設定での換気性能を十分に確保できるとともに、プライバシー保護性能も高い扉装置及び扉装置における換気・密閉の切替方法を提供することである。
【課題を解決するための手段】
【０００７】
上記課題を解決するために本発明が講じた手段は次のとおりである。
第１の発明は、
開口の一方の側に垂直な回転軸を有し、扉を水平方向に回動することによって開口の他方の側に通気空間を形成して停止する第１の停止位置から該通気空間を閉塞して停止する第２の停止位置へ移動するようにした、
扉装置における換気・密閉の切替方法である。
【０００８】
第２の発明は、
開口の一方の側に垂直な回転軸を有し、扉部材と枠部材との間で通気空間を形成して扉部材を停止する第１の停止位置と、前記扉部材と枠部材との間で形成された通気空間を閉塞した状態で扉部材を停止する第２の停止位置とを有し、第１の停止位置から第２の停止位置への移動は、扉部材を水平方向に回動することによって行うようにした、
扉装置における換気・密閉の切替方法である。
【０００９】
第３の発明は、
扉部材と、枠部材及び戸当たり部材の間に通気空間を形成する位置に扉部材を停止させた状態から扉部材を動かし、枠部材のうち扉部材を停止させる側に上下方向に設けられており、扉部材の回動を止めることができる戸当たり部材に直接または間接的に接触させて、戸当たり部材との間で気密性を保つことができる位置に扉部材を停止させる、
扉装置における換気・密閉の切替方法である。
【００１０】
第４の発明は、
開口の一方の側に垂直な回転軸を有して扉を水平方向に回動できるよう設けてあり、該扉を開口の他方の側に通気空間を形成して停止する第１の停止位置と、該通気空間を閉塞して停止する第２の停止位置と、を有する、
扉装置である。
【００１１】
第５の発明は、
開口の一方の側に垂直な回転軸を有して扉部材を水平方向に回動できるように設けてあり、扉部材と枠部材との間で通気空間を形成して扉部材を停止する第１の停止位置と、前記扉部材と枠部材との間で形成された通気空間を閉塞した状態で扉部材を停止する第２の停止位置と、を有する、
扉装置である。
【００１２】
第６の発明は、
出入り口に設けられている枠部材と、
枠部材に水平方向に開閉回動可能に取り付けられている扉部材と、
枠部材のうち扉部材を停止させる側に上下方向に設けられており、扉部材の回動を止めることができる戸当たり部材と、
扉部材と、枠部材及び戸当たり部材の間に通気空間を形成する位置に扉部材を停止させる換気位置停止手段と、
扉部材と戸当たり部材との間で気密性を保つことができる位置に扉部材を停止させる密閉位置停止手段と、
を備えている扉装置である。
【００１３】
第７の発明は、
扉部材を換気位置から密閉位置へ動かすことができる切替操作手段を備えている、
第６の発明の扉装置である。
【００１４】
第８の発明は、
扉のノブまたはハンドルのボルトまたはラッチを係止して扉を停止する係止具であって、
開口の一方の側に垂直な回転軸を有して水平方向に回動できるよう設けてある扉を開口の他方の側に通気空間を形成して停止させる第１の停止部と、該通気空間を閉塞して停止させる第２の停止部を有する、
扉のノブまたはハンドルのボルトまたはラッチの係止具である。
【００１５】
（作用）
本発明に係る扉装置の作用を説明する。なお、ここでは本発明の各構成要件のそれぞれに、後述する実施の形態において各部に付与した符号を対応させて付与し説明するが、この符号の付与は、あくまで説明の理解を容易にするためであって各構成要件の上記各部への限定を意味するものではない。
【００１６】
扉装置の扉部材(5)を開いた状態から閉じる方向へ回動させ、換気位置停止手段(3)により換気位置に停止させると、扉部材(5)と、枠部材(1)及び戸当たり部材(2)の間に通気空間（通気経路）(a1)が形成される。この状態では、扉部材(5)を挟んで内側と外側（例えば室内と室外）で通気が可能であり、相互の換気を行うことができる。しかも、通気空間(a1)が形成されるのは、扉部材(5)の長辺側であるため、従来のように短辺側に形成するものと比較して開口部を大きくすることができ、換気が可能な設定での換気性能を十分に確保できる。また、従来のような昇降する密閉部材などは使用しないので、構造が簡単である。
【００１７】
また、この換気を行うことができる状態では、扉部材(5)の回動を止めることができる戸当たり部材(2)が邪魔になり、扉部材(5)外部側からは通気空間(a1)を通して扉部材(5)内部側を見通すことができない。これにより、プライバシー保護性能も高い。なお、扉部材(5)の上下端部（扉部材の短辺側）と床面、天井面の間の隙間(S1,S2)は、扉部材(5)が密閉位置に停止しているときに通気がほとんど行われないように狭く形成されているか、または隙間がほとんど形成されていないのはいうまでもない。
【００１８】
そして、扉部材(5)の内部側と外部側を密閉する場合には、前記のように枠部材(1)及び戸当たり部材(2)との間に通気空間(a1)を形成する位置に扉部材(5)を停止させた状態から扉部材(5)を手動または切替操作手段を操作することにより動かし、扉部材(5)の後面側を戸当たり部材(2)に直接またはパッキンなどを介在させて間接的に接触させて密閉位置停止手段(4)によって扉部材(5)の回動を停止させる。これにより、通気空間(a1)は塞がれて、扉部材(5)と戸当たり部材(2)との間で気密性を保つことができ、扉部材(5)の内部側と外部側は密閉される。
【発明の効果】
【００１９】
（ａ）扉部材と、枠部材及び戸当たり部材の間に通気空間が形成された状態では、扉部材を挟んで内側と外側で通気が可能であり、相互の換気を行うことができる。しかも、通気空間が形成されるのは、扉部材の長辺側であるため、従来のように短辺側に形成するものと比較して開口部を大きくすることができ、換気が可能な設定での換気性能を十分に確保できる。また、従来のような昇降する密閉部材などは使用しないので、構造が簡単である。
【００２０】
（ｂ）換気を行うことができる状態では、扉部材の回動を止めることができる戸当たり部材が邪魔になり、扉部材外部側からは通気空間を通して扉部材内部側を見通すことができない。これにより、プライバシー保護性能も高い。
【発明を実施するための最良の形態】
【００２１】
本発明を図に示した実施例に基づき詳細に説明する。
【実施例１】
【００２２】
図１は本発明に係る扉装置の第１実施形態を示す斜視説明図、
図２は図１に示す扉装置の枠部材側の構造を示す説明図、
図３は図１に示す扉装置の扉部材の換気停止位置と密閉停止位置を示す説明図、
図４は図３におけるＰ１部分拡大図である。
【００２３】
扉装置Ａ１は、枠部材１、枠部材１に設けられている戸当たり部材２、枠部材１に設けられている換気位置停止穴３と密閉位置停止穴４及び枠部材１に設けられている扉部材５を備えている。
【００２４】
枠部材１は、出入口（符号省略）を形成する両側面１００、１０１（図３参照）、床面１０２、天井面１０３のうち両側面１００、１０１と天井面１０３に固着して門形に形成されている。枠部材１は所要の奥行き幅を有し、奥行き方向の中間部の内面には、戸当たり部材２が固着され、枠部材１と同じく門形に形成されている。
【００２５】
また、戸当たり部材２の前面（図２において左側の面）には、戸当たり部材２の内縁部に沿うように全長にわたりパッキン２１が固着されている。パッキン２１は、気密性とクッション性（緩衝性）を有する材料（例えば合成樹脂、ゴムなど）で形成されている。なお、戸当たり部材２とパッキン２１は、平面視で奥行き方向へやや傾斜（図３において左上がり）するように設けられており、後述する扉部材５が密閉位置にあるときの扉部材５の後面とパッキン２１の密着度を高めるようにしている（図７に示した扉装置Ａ２の戸当たり部材２とパッキン２１も同様）。
【００２６】
枠部材１の一方の側部（扉部材５をヒンジ５２で取り付ける側とは反対側の扉部材５を停止させる側：図３において左側）の上下方向のほぼ中間部には、板状で四角形の係止具１１が固着されている。係止具１１のやや奥側寄り（図２において右側寄り）には、後述する扉部材５のラッチボルト６が係止可能な換気位置停止穴３と密閉位置停止穴４が奥行き方向に並設されている。換気位置停止穴３と密閉位置停止穴４は、それぞれ横断面形状でコ字状の穴であり、境界部には隔壁３４が設けられている。
【００２７】
枠部材１には、扉部材５が、幅方向の一端側を枠部材１の他方の側部にヒンジ５２によって取り付けられている。扉部材５は、ヒンジ５２の軸（符号省略）を中心に水平方向に開閉回動が可能である。扉部材５の上下端部（扉部材５の短辺側）と床面１０２、天井面１０３の間の隙間ｓ１、ｓ２は、扉部材５が密閉位置に停止しているときに通気がほとんど行われないように、例えば数ｍｍ程度に狭く形成されている。なお、扉部材５の下部に、扉部材５を閉じたとき（密閉位置にあるとき）に自動的に前記下側の隙間ｓ１を塞ぐように下降する閉塞部材（エアタイトともいう：図示省略）を設けてもよい。
【００２８】
扉部材５の幅方向の一方の端面（図３において左側の端面）には、前記換気位置停止穴３と密閉位置停止穴４に対応する高さにフェイス板５１とラッチボルト６が設けられている。フェイス板５１とラッチボルト６は、扉部材５内部に収められているラッチアッセンブリ（ラッチ装置：図示省略）を構成するものである。なお、ラッチボルト６は、内蔵されたバネによって突出方向へ付勢されている。
【００２９】
扉部材５の内面側にはサムターン６１とハンドル６２が設けられている。ハンドル６２は、ラッチボルト６の出入り操作を行うことができるものである。サムターン６１は、ラッチボルト６が出た状態（突出した状態）でハンドル６２をロックすることができるものである。ラッチボルト６は、前記換気位置停止穴３と密閉位置停止穴４のそれぞれに段階的に係止させることができる。なお、戸当たり部材２には、扉部材５を戸当たり部材２側から扉部材５が開く方向へ付勢してラッチボルト６を換気位置停止穴３と密閉位置停止穴４の内壁に当てて静止させるためのスプリングバー（図示省略）を備えている。
【００３０】
（作用）
図１ないし図４を参照して扉装置Ａ１の作用を説明する。
扉装置Ａ１の扉部材５を開いた状態から閉じる方向へ回動させ、扉部材５のラッチボルト６を換気位置停止穴３に係止させる（図３、図４参照）。この状態では、扉部材５の前後面は、枠部材１の前端面と平行になっており、図４に示すように扉部材５の先端と枠部材１及びと当たり部材２との間には通気空間（通気経路）ａ１が形成される。
なお、扉部材５の前後面は、枠部材１の前端面と必ずしも平行にする必要はなく、例えば気密停止位置の扉角度を浅くするため、通気停止位置をやや斜めにすることもできる。これについては、後述する扉部材５ａの場合も同様である。
【００３１】
これにより、扉部材５を挟んで室内（図３において上側）と室外（図３において下側）で通気が可能であり、相互の換気を行うことができる。しかも、通気空間ａ１が形成されるのは、扉部材５の縦方向の長辺側であるため、横方向の短辺側に形成するものと比較して通気空間ａ１の開口部（開口面積）を大きく取ることができ、換気が可能な設定での換気性能を十分に確保できる。
【００３２】
また、この換気を行うことができる状態では、扉部材５の回動を止めることができる戸当たり部材２が邪魔になり、扉部材５の外部側からは通気空間ａ１を通して扉部材５の内部側を見通すことができない。これにより、プライバシー保護性能も高い。
【００３３】
扉部材５の内部側と外部側を密閉する場合には、前記のように枠部材１及び戸当たり部材２との間に通気空間ａ１を形成する位置に扉部材５を停止させた状態から扉部材５を手動で操作することにより動かし、扉部材５の後面側（室内側の面）を戸当たり部材２のパッキン２１に接触させ、ラッチボルト６を密閉位置停止穴４に係止させて扉部材５の回動を停止させる。この状態では必要に応じてサムターン６１を操作してラッチボルト６をロックすることができる。
【００３４】
これにより、通気空間ａ１は塞がれて、扉部材５と戸当たり部材２のパッキン２１との間で気密性を保つことができ、扉部材５の内部側と外部側は密閉される。なお、扉部材５の下端部と床面１０２との間の隙間Ｓ１及び扉部材５の上端部と天井面１０３との間の隙間Ｓ２は、前記したように通気がほとんど行われないように狭く形成されているので、実質的に密閉度に支障は生じない。
【実施例２】
【００３５】
図５は本発明に係る扉装置の第２実施形態を示す斜視説明図、
図６は図５に示す扉装置の枠部材側の構造を示す説明図、
図７は図５に示す扉装置の扉部材の換気停止位置と密閉停止位置を示す説明図、
図８は図７におけるＰ２部分拡大図である。
なお、本実施の形態では、図において前記扉装置Ａ１の各部と同等箇所には同一符号を付して示し、構造について重複する説明は基本的に省略する。
【００３６】
扉装置Ａ２は、枠部材１、枠部材１に設けられている戸当たり部材２、枠部材１に設けられている換気位置停止穴３ａと密閉位置停止穴４ａ及び枠部材１に設けられている扉部材５ａを備えている。
【００３７】
枠部材１の一方の側部に設けられた係止具１１ａの奥行き方向の中間部下段には、後述する扉部材５ａのラッチボルト６ａが係止可能な換気位置停止穴３ａが設けられている。また、換気位置停止穴３ａより奥側で上段（図５、図６に示すように換気位置停止穴３ａと密閉位置停止穴４ａは高さが重複する部分がない）には、扉部材５ａのロックボルト７が係止可能な密閉位置停止穴４ａが設けられている。換気位置停止穴３ａと密閉位置停止穴４ａは、それぞれ横断面形状でコ字状の穴である。
【００３８】
換気位置停止穴３ａには、奥壁寄りに軸方向を縦にしてローラ３０が設けられている。ローラ３０は、ラッチボルト６ａの曲面部６０を案内してラッチボルト６ａの進退動を助けるものである（図８（ａ）参照）。なお、ローラ３０は必ずしも設ける必要はない。
また、密閉位置停止穴４ａの前壁寄りには、軸方向を縦にしてローラ４０が設けられている。ローラ４０は、ロックボルト７の曲面部７０を案内してロックボルト７を突出させるときの動きを助けるものである（図８（ｂ）参照）。
【００３９】
扉部材５ａの幅方向の一方の端面（図７において左側の端面）には、前記換気位置停止穴３ａに対応する高さにラッチボルト６ａが設けられ、密閉位置停止穴４ａに対応する高さにロックボルト７が設けられている。フェイス板５１とラッチボルト６ａ及びロックボルト７は、扉部材５ａ内部に収められているラッチアッセンブリ（図示省略）を構成するものである。
【００４０】
扉部材５ａの内面側にはサムターン７１とハンドル６３が設けられている。ハンドル６３は、ラッチボルト６ａの出入り操作を行うことができるものである。サムターン７１は、ラッチボルト６ａを突出した状態（図５に示す状態）から収容された状態となるよう操作することができるものである。なお、ラッチボルト６ａは、前記換気位置停止穴３ａに係止させることができ、ロックボルト７は密閉位置停止穴４ａに係止させることができる。なお、サムターン７１とロックボルト７は、切替操作手段を構成している。
【００４１】
（作用）
図５ないし図８を参照して扉装置Ａ２の作用を説明する。
扉装置Ａ２の扉部材５ａを開いた状態から閉じる方向へ回動させ、扉部材５ａのラッチボルト６ａを換気位置停止穴３ａに係止させる（図７、図８（ａ）参照）。なお、ロックボルト７はあらかじめサムターン７１を操作してフェイス板５１から突出しないように内部に収容されている。この状態では、扉部材５ａの前後面は、枠部材１の前端面と平行になっており、図８（ａ）に示すように扉部材５ａの先端と枠部材１及び戸当たり部材２との間には通気空間（通気経路）ａ２が形成される。
【００４２】
これにより、扉部材５ａを挟んで室内（図７において上側）と室外（図７において下側）で通気が可能であり、相互の換気を行うことができる。しかも、通気空間ａ２が形成されるのは、扉部材５ａの縦方向の長辺側であるため、横方向の短辺側に形成するものと比較して通気空間ａ２の開口部（開口面積）を大きく取ることができ、換気が可能な設定での換気性能を十分に確保できる。また、プライバシー保護性能も高い点も前記扉装置Ａ１と同様である。
【００４３】
扉部材５ａの内部側と外部側を密閉する場合には、前記のように枠部材１及び戸当たり部材２との間に通気空間ａ２を形成する位置に扉部材５ａを停止させた状態から扉部材５ａのサムターン７１を操作してロックボルト７をフェース板５１から突出させる。このとき、ロックボルト７は、曲面部７０をローラ４０に押し付けながら突出するので、その反力で扉部材５ａは戸当たり部材２側へ動く。扉部材５ａの後面側（室内側の面）は、戸当たり部材２のパッキン２１に接触し、ロックボルト７は密閉位置停止穴４ａに係止されてロック状態となる。また、ラッチボルト６ａは、曲面部６０をローラ３０にガイドされ、その反力で所要の位置まで内部に収容される。
【００４４】
これにより、通気空間ａ２は塞がれて、扉部材５ａと戸当たり部材２のパッキン２１との間で気密性を保つことができ、扉部材５ａの内部側と外部側は密閉される。なお、扉部材５ａの下端部と床面１０２との間の隙間Ｓ１及び扉部材５ａの上端部と天井面１０３との間の隙間Ｓ２は、通気がほとんど行われないように狭く形成されているので、実質的に密閉度に支障は生じないのは前記扉装置Ａ１と同様である。
【００４５】
なお、本明細書で使用している用語と表現は、あくまで説明上のものであって限定的なものではなく、上記用語、表現と等価の用語、表現を除外するものではない。また、本発明は図示されている実施の形態に限定されるものではなく、技術思想の範囲内において種々の変形が可能である。
【図面の簡単な説明】
【００４６】
【図１】本発明に係る扉装置の第１実施形態を示す斜視説明図。
【図２】図１に示す扉装置の枠部材側の構造を示す説明図。
【図３】図１に示す扉装置の扉部材の換気停止位置と密閉停止位置を示す説明図。
【図４】図３におけるＰ１部分拡大図。
【図５】本発明に係る扉装置の第２実施形態を示す斜視説明図。
【図６】図５に示す扉装置の枠部材側の構造を示す説明図。
【図７】図５に示す扉装置の扉部材の換気停止位置と密閉停止位置を示す説明図。
【図８】図７におけるＰ２部分拡大図。
【符号の説明】
【００４７】
Ａ１  扉装置
１  枠部材
１１  係止具
２  戸当たり部材
２１  パッキン
３  換気位置停止穴
３０  ローラ
３４  隔壁
４  密閉位置停止穴
４０  ローラ
５  扉部材
５１  フェイス板
５２  ヒンジ
６  ラッチボルト
６０  曲面部
６１  サムターン
６２  ハンドル
１００、１０１  側面
１０２  床面
１０３  天井面
Ａ２  扉装置
１１ａ  係止具
３ａ  換気位置停止穴
４ａ  密閉位置停止穴
５ａ  扉部材
６ａ  ラッチボルト
６３  ハンドル
７  ロックボルト
７０  曲面部
７１  サムターン
【図１】
2008285898.tif 000003
【図２】
2008285898.tif 000004
【図３】
2008285898.tif 000005
【図４】
2008285898.tif 000006
【図５】
2008285898.tif 000007
【図６】
2008285898.tif 000008
【図７】
2008285898.tif 000009
【図８】
2008285898.tif 000010